(57)【要約】【課題】  例えば吸引したい組織等の吸引対象物が開口に対して側方に形成されていたり溜められていたりした場合であっても、その吸引対象物を容易に吸引可能な吸引器を提供する。【解決手段】  吸引器は、吸引チューブ３０が挿通された挿入部１２と、前記挿入部１２の基端部に設けられているとともに前記吸引チューブ３０の基端部が挿通され、術者に保持される保持部１４と、前記吸引チューブ３０の内部と外部とを連通し、その開口量が調整されるポート６０とを備えている。そして、この吸引器は、前記挿入部１２の先端部に設けられ、前記挿入部１２の先端部を湾曲可能な湾曲部２４と、前記挿入部１２の基端部側に設けられた状態で前記湾曲部２４に連結され、前記湾曲部２４を湾曲操作可能な回転ノブ５０とをさらに備えている。【選択図】    図２
2006026089.tif 000002
【特許請求の範囲】
【請求項１】
吸引チューブが挿通された挿入部と、
前記吸引チューブが挿通された状態で前記挿入部の基端部に設けられ、術者に保持される保持部と、
前記吸引チューブの内部と外部とを連通し、前記吸引チューブ内の吸引力を調整する吸引力調整部と
を具備する吸引器において、
前記挿入部の先端部に設けられ、前記挿入部の先端部を湾曲可能な湾曲部と、
前記挿入部の基端部側に設けられた状態で前記湾曲部に連結され、前記湾曲部を湾曲操作可能な湾曲操作部と
をさらに具備することを特徴とする吸引器。
【請求項２】
先端部に湾曲可能な湾曲部を有し、体腔内に挿入される挿入部と、
前記挿入部の基端部に設けられており、前記湾曲部に連結され、前記湾曲部を湾曲操作可能な湾曲操作部を有し、術者に保持される保持部と、
前記挿入部および保持部に挿通された吸引チューブと、
前記吸引チューブの内部と外部とを連通し、前記吸引チューブ内の吸引力を調整する吸引力調整部と
を具備することを特徴とする吸引器。
【発明の詳細な説明】
【技術分野】
【０００１】
本発明は、外科手術時における生体組織等の吸引に使用される吸引器に関する。
【背景技術】
【０００２】
例えば特許文献１には、図１２（Ａ）および図１２（Ｂ）に示すように、外科手術において、患者の体液や患部の洗浄液等の吸引対象物２６４を吸引する際に使用される吸引器２１０が開示されている。
【０００３】
図１２（Ａ）に示すように、この吸引器２１０は、体腔内に挿入される可撓性を有する挿入部２１２と、この挿入部２１２の基端部に設けられた保持部２１４とを備え、吸引ポンプが接続された吸引チューブが挿入部２１２および保持部２１４に挿通されている。この吸引チューブの内部と外部とを連通した吸引力調整孔（空気流入量調整孔）２６０を有する保持部２１４を術者が保持した状態で、挿入部２１２を開頭部２６６に挿入する。保持部２１４の調整孔２６０を指で塞ぐ開口量（閉塞量）を変化させることにより、保持部２１４にポンプ接続チューブ２１１ａにより接続された吸引ポンプによる挿入部２１２の先端部（吸引チューブの先端部）からの吸引力（吸引量）を調整しながら使用する。
【０００４】
特に脳神経外科の手術においては、小さい開頭から手術部位に到達させる、いわゆるキーホールサージャリーが行なわれている。また、挿入部の軸方向とは異なる角度を有する、いわゆる斜視型内視鏡を用いて顕微鏡下では観察できない開頭部の側方の処置も行なわれる。
【特許文献１】実公平３−１７８８０号公報
【発明の開示】
【発明が解決しようとする課題】
【０００５】
しかし、図１２（Ｂ）に示すように、上記吸引器２１０を用いて開頭部の側方に形成された患部の処置を行なう場合、予め挿入部２１２を手で曲げた状態で体腔内に挿入部を挿入し、かつ、挿入部の先端部を吸引対象物２６４に向ける必要がある。この場合、狭い開頭部から形状を保持したまま挿入部２１２を体腔内に挿入することは困難である。このため、開頭部２６６から挿入部２１２を体腔内に挿入しても、挿入部２１２の先端部を吸引対象物２６４に向けることは困難である。
【０００６】
この発明は、このような課題を解決するためになされたもので、その目的とするところは、例えば吸引したい組織等の吸引対象物が開口に対して側方に形成されていたり溜められていたりした場合であっても、その吸引対象物を容易に吸引可能な吸引器を提供することにある。
【課題を解決するための手段】
【０００７】
上記課題を解決するために、この発明の吸引器は、吸引チューブが挿通された挿入部と、前記吸引チューブが挿通された状態で前記挿入部の基端部に設けられ、術者に保持される保持部と、前記吸引チューブの内部と外部とを連通し、前記吸引チューブ内の吸引力を調整する吸引力調整部とを備えている。そして、この吸引器は、前記挿入部の先端部に設けられ、前記挿入部の先端部を湾曲可能な湾曲部と、前記挿入部の基端部側に設けられた状態で前記湾曲部に連結され、前記湾曲部を湾曲操作可能な湾曲操作部とをさらに備えている。
【０００８】
このように挿入部に湾曲部が設けられているので、湾曲操作部を操作することによって、体腔内の側方などに吸引対象が存在している場合であっても、吸引を行なうことができる。したがって、例えば吸引したい組織等の吸引対象物が開口に対して側方に形成されていたり溜められていたりした場合であっても、その吸引対象物を容易に吸引可能な吸引器を提供することができる。
【０００９】
また、上記課題を解決するために、この発明の吸引器は、先端部に湾曲可能な湾曲部を有し、体腔内に挿入される挿入部と、前記挿入部の基端部に設けられており、前記湾曲部に連結され、前記湾曲部を湾曲操作可能な湾曲操作部を有し、術者に保持される保持部と、前記挿入部および保持部に挿通された吸引チューブと、前記吸引チューブの内部と外部とを連通し、前記吸引チューブ内の吸引力を調整する吸引力調整部とを備えている。
【００１０】
このように挿入部に湾曲部を備えているので、保持部に備えている湾曲操作部を操作することによって、体腔内の側方などに吸引対象が存在している場合であっても、吸引を行なうことができる。したがって、例えば吸引したい組織等の吸引対象物が開口に対して側方に形成されていたり溜められていたりした場合であっても、その吸引対象物を容易に吸引可能な吸引器を提供することができる。
【発明の効果】
【００１１】
この発明によれば、例えば吸引したい組織等の吸引対象物が開口に対して側方に形成されていたり溜められていたりした場合であっても、その吸引対象物を容易に吸引可能な吸引器を提供することができる。
【発明を実施するための最良の形態】
【００１２】
以下、図面を参照しながらこの発明を実施するための最良の形態（以下、実施の形態という）について説明する。
【００１３】
まず、第１の実施の形態について図１ないし図３を用いて説明する。
【００１４】
図１に示すように、この実施の形態に係る吸引装置１は、吸引器１０と、この吸引器１０に着脱可能な吸引ポンプ１１とを備えている。吸引器１０は、例えば脳神経外科などの手術時に開口部から体腔内に挿入される細長い挿入部１２と、この挿入部１２の基端部に設けられ、術者が保持する保持部１４とを備えている。保持部１４には、吸引ポンプ１１が接続されたポンプ接続チューブ１１ａが着脱可能である。
【００１５】
挿入部１２は、硬質に形成された先端硬質部２２と、この先端硬質部２２の基端部に配設され、湾曲可能な湾曲部２４と、この湾曲部２４の基端部に配設された円筒部２６とを備えている。円筒部２６は、例えばＳＵＳ材などの硬質材により形成されている。また、円筒部２６は、例えば銀材などにより、術者の手の力により容易に湾曲可能に形成されていても良い。
【００１６】
なお、挿入部１２の外径、挿入部１２の長さや湾曲部２４の最大湾曲量等は、用途に合わせて適宜に設定される。例えば脳神経外科手術に使用する場合、挿入部１２を挿入するための開頭量（開口量）を極力小さくした状態で吸引処置を行なうため、挿入部１２の外径は４ｍｍ以下に形成されている。
【００１７】
図２（Ａ）に示すように、挿入部１２には、吸引チューブ３０が挿通されている。この吸引チューブ３０の先端部は、先端硬質部２２の略中心軸上に形成された開口２２ａ（図１参照）に連通された状態で固着されている。先端硬質部２２の内周面と吸引チューブ３０の外周面との間は、例えば接着により吸引チューブ３０の外側と円筒部２６の内側との間に液体が浸入することを防止すべく構成されている。
【００１８】
湾曲部２４は、先端硬質部２２の基端部の外周面を被覆するとともに、円筒部２６の先端部の外周面を被覆するゴム材製の円筒形カバー（図示せず）を外周面に備えている。この円筒形カバーの内部には、複数の湾曲駒３４が並設されている。各湾曲駒３４はリング状に形成されている。隣接する湾曲駒３４同士は、互いにリベット３８によって回動可能に枢支されている。このとき、各湾曲駒３４のリングの中心軸は共通であり、湾曲駒３４は同一軸上に沿って並設されている。なお、吸引チューブ３０は各湾曲駒３４に挿通されている。
【００１９】
これら湾曲駒３４の外側には、例えば金属材等の素線を編み込んだ編状管（図示せず）が被嵌されている。この編状管の外側には、上述したゴム材製の円筒形カバー（図示せず）が積層されて外装されている。
【００２０】
一方、これら湾曲駒３４の内周面には、各湾曲駒３４の中心軸に対して互いに対向する位置に１対の牽引ワイヤ４２ａ，４２ｂが支持されている。これら牽引ワイヤ４２ａ，４２ｂは、リベット３８が配設された位置に対して９０度異なる位置に配置されている。最も先端に位置する湾曲駒３４は、先端硬質部２２に固着され、または先端硬質部２２の基端部に一体的に形成されている。最も先端に位置する湾曲駒３４には、１対の牽引ワイヤ４２ａ，４２ｂの先端部が取着されている。具体的には、牽引ワイヤ４２ａ，４２ｂの先端部は、例えば半田等により強固に固定されている。
【００２１】
これら牽引ワイヤ４２ａ，４２ｂの基端部は、挿入部１２の湾曲駒３４の内部および円筒部２６の内部を通して保持部１４の内部に導かれている。これら牽引ワイヤ４２ａ，４２ｂの基端部は、それぞれ接続部材４４ａ，４４ｂによってそれに対応した湾曲操作ワイヤ４６の一端部および他端部に対して個別的に接続されている。
【００２２】
湾曲操作ワイヤ４６は、プーリ４８に巻き付けられている。プーリ４８と同一の軸には、保持部１４の後述する保持部本体５４に回動可能に支持された回転ノブ（湾曲操作部）５０が装着されている。このため、回転ノブ５０を回転させると、プーリ４８も一緒に回動する。したがって、湾曲操作ワイヤ４６は、プーリ４８の回動に伴って進退する。
【００２３】
図１に示すように、保持部１４は、術者に保持される保持部本体５４と、湾曲部２４を湾曲させる湾曲操作部としてプーリ４８（図２（Ａ）参照）および回転ノブ５０とを備えている。図２（Ｂ）に示すように、保持部本体５４には、吸引チューブ３０が挿通された状態で内挿されている。上述したプーリ４８は、保持部本体５４の内部に回転軸４８ａが支持された状態で配設されている。回転軸４８ａの外周面と、保持部本体５４との間には、吸引チューブ３０の外周面と保持部本体５４の内部との間の水密を図るＯリング５８が配設されている。プーリ４８の回転軸４８ａは、保持部本体５４の外部で回転ノブ５０に接続されている。
【００２４】
図１に示すように、保持部本体５４の基端部には、吸引チューブ３０の基端部に連通されたチューブ取付口金５６が配設されている。このチューブ取付口金５６には、一端部に吸引ポンプ１１が接続されたポンプ接続チューブ１１ａの他端部を接続可能である。
【００２５】
保持部本体５４には、吸引チューブ３０に連通し、術者の手の指等により開口量を調整し、吸引チューブ３０内の吸引力を調整する吸引力調整用ポート（吸引力調整部）６０が形成されている。このポート６０は、吸引チューブ３０の内部と保持部本体５４の外部とを連通する。このため、このポート６０を開口した状態では、吸引ポンプ１１の動作により保持部本体５４に形成されたポート６０から外気を吸引する。ポート６０を閉塞すると、吸引ポンプ１１の動作により吸引チューブ３０の先端部から組織等を吸引する。ポート６０の開口量を術者の例えば親指で調整すると、ポンプ接続チューブ１１ａを通した吸引ポンプ１１による吸引力を調整可能である。
【００２６】
次に、この実施の形態に係る吸引器１０の作用について説明する。
【００２７】
例えば生体組織を開口してその体腔内を処置した後、処置した組織を血液や体液等とともに吸引除去する。すなわち体腔内から吸引対象物を吸引除去する。この場合、図３（Ａ）に示すように、生体組織の開口部６６から湾曲部２４を真直ぐに伸ばした挿入部１２を生体組織の開口によって形成された体腔内に挿入する。このとき、例えば右手で保持した保持部本体５４のポート６０を開口した状態で吸引器１０の挿入部１２を挿入する。
【００２８】
上述した吸引対象物６４が例えば開口部６６に対して体腔内の側部にある場合、湾曲部２４を真直ぐに伸ばした状態では吸引対象物６４を吸引することが出来ないので、湾曲部２４を湾曲させて先端硬質部２２を吸引対象物６４に対して正対させる。
【００２９】
具体的には、湾曲部２４を挿入部１２の軸方向に対して上側に湾曲させるように保持部１４の回転ノブ５０を図３（Ｂ）中の符号Ｕ側に回転させる。すると、湾曲操作ワイヤ４６、接続部材４４ａによって牽引ワイヤ４２ａが術者の手元側に引っ張られる。湾曲操作ワイヤ４６、接続部材４４ｂによって牽引ワイヤ４２ｂが挿入部１２の先端部側に押される。
【００３０】
そうすると、図２（Ａ）に示す各湾曲駒３４は、リベット３８を支点として順次回動する。このため、湾曲部２４が湾曲する。先端硬質部２２は、湾曲部２４が湾曲されることにより、吸引対象物６４に対して正対される。
【００３１】
この状態で、保持部本体５４のポート６０を術者の右手の親指で閉塞し、吸引ポンプ１１による吸引力を大きくして生体組織や体液等の吸引対象物６４を吸引する。
【００３２】
吸引対象物６４を吸引した後、回転ノブ５０を符号Ｄ方向に回転させる。湾曲操作ワイヤ４６、接続部材４４ａによって牽引ワイヤ４２ａが挿入部１２の先端部側に押される。湾曲操作ワイヤ４６、接続部材４４ｂによって牽引ワイヤ４２ｂが術者の手元側に引っ張られる。湾曲部２４の長手軸を挿入部１２の円筒部２６の長手軸と同軸上にし、すなわち、挿入部１２を真直ぐにして、挿入部１２を体腔内から引き抜く。
【００３３】
以上説明したように、この実施の形態によれば、以下のことが言える。
【００３４】
挿入部１２の先端部を湾曲させる湾曲部２４を挿入部１２の先端部に備えた。このため、挿入部１２を真直ぐな状態にして体腔内挿入したときに吸引対象物６４が体腔内の側方にあり、挿入部１２が真直ぐな状態では吸引対象物６４を吸引することが困難な場合であっても、湾曲部２４を湾曲させることによって、先端硬質部２２を吸引対象物６４に出来る限り正対させて吸引対象物６４を吸引することができる。保持部本体５４を術者が片手で保持した状態で、湾曲部２４の湾曲操作（回転ノブ５０の回転操作）および吸引力の調整操作（ポート６０の開口量の調整操作）をその保持部本体５４を保持した片手で行なうことができるので、他方の手で他の処置具等を保持している場合であっても、湾曲操作および吸引力の調整操作を容易に行なうことができる。
【００３５】
なお、上述したように、湾曲部２４には湾曲駒３４が並設されていることを説明したが、湾曲駒３４の代わりに例えばスリットを入れたパイプで形成することもできる。この場合、湾曲部２４の外径を細くすることができるので、開口部６６が狭い場合であっても挿入部１２を体腔内に挿入して例えば体腔内の側方にある吸引対象物６４の吸引操作を行なうことができる。
【００３６】
次に、第２の実施の形態について図４ないし図７を用いて説明する。この実施の形態は、第１の実施の形態の変形例であって、第１の実施の形態で説明した部材と同一の部材には同一の符号を付し、詳しい説明を省略する。
【００３７】
図４に示すように、保持部１４は、術者によって把持されるグリップ（保持部本体）７２と、このグリップ７２に一体的に形成されているとともに挿入部１２の基端部に連結される連結部７４とを備えている。連結部７４の先端部には、挿入部１２の基端部が固定されている。
【００３８】
保持部１４は、略ピストル型に形成されている。形状的には、ピストルのグリップ／ハンドルがグリップ７２に該当し、ピストルの銃身が連結部７４に該当する。また、ピストルの銃腔／ボアが吸引チューブ３０に該当する。ピストルの撃鉄／ハンマーが通常配置される位置には、回転ノブ（湾曲レバー）５０、および吸引チューブ３０に連通したポート６０の両者が互いに近接した状態に並設されている。これら回転ノブ５０およびポート６０は、片手（例えば右手）の親指を移動させて操作可能である。
【００３９】
この回転ノブ５０には、湾曲部２４が所望の湾曲状態のときにその湾曲状態を固定する回転ノブストッパー７６が装着されている。この回転ノブストッパー７６は、グリップを把持した手の親指（例えば右手の親指）で操作可能である。この回転ノブストッパー７６は、例えばグリップ７２の内部に配設されたプーリ４８の回転を許容する状態と、プーリ４８の回転を停止させる状態とに切り替え可能に形成されている。この回転ノブストッパー７６は、グリップ７２に向かって押圧するとプーリ４８の回転を停止させる状態に切り替えられ、さらにその押圧状態を維持可能である。押圧を解除すると、プーリ４８の回転を許容する状態に切り替えられる。
【００４０】
連結部７４の長手軸とグリップ７２の長手軸とによって形成される面内に対して一側に回転ノブ５０が配置され、他側にポート６０が配置されている。さらに、先端硬質部２２を術者に対して離隔し、グリップ７２を術者に対して近接した位置に配置し、挿入部１２の先端硬質部２２が下側を向くように位置させた場合、術者から見て右側に回転ノブ５０が配置され、ポート６０が左側に配置されている。この場合、回転ノブ５０、回転ノブストッパー７６およびポート６０を術者が片手の親指で操作することを考慮すると、右手でグリップ７２を把持することが好ましい。逆にいうと、グリップ７２を右手で把持するように、例えば右側に回転ノブ５０を配置し、ポート６０を左側に配置する。そうすると、回転ノブ５０、回転ノブストッパー７６およびポート６０は互いに近接した位置に配置されているので、回転ノブ５０の回動操作、回転ノブストッパー７６の切り替え、およびポート６０の開口量の調整を全て右手の親指だけで行なえる。
【００４１】
図５に示すように、吸引チューブ３０は、挿入部１２および連結部７４に挿通された第１の吸引チューブ３０ａと、この第１の吸引チューブ３０ａの基端部で連通され、グリップ７２に挿通された第２の吸引チューブ３０ｂとを備えている。第２の吸引チューブ３０ｂには、上述したポンプ接続チューブ１１ａが着脱可能である。ポート６０は、第１の吸引チューブ３０ａの基端に形成されている。このため、第１の吸引チューブ３０ａと第２の吸引チューブ３０ｂとは互いに連通され、かつ、ポート６０も第１の吸引チューブ３０ａと第２の吸引チューブ３０ｂとに連通されている。このため、ポート６０の開口量が大きくなるにつれてポート６０から第２の吸引チューブ３０ｂ内に流れ込む外気が吸引される吸引量が多くなる。ポート６０の開口量が小さくなるにつれて第１の吸引チューブ３０ａの先端部、すなわち挿入部１２の先端部から流れ込む外気が吸引される吸引量が多くなる。したがって、ポート６０を閉塞した場合、第１の吸引チューブ３０ａの先端部から第１の吸引チューブ３０ａ内に流れ込む外気が吸引され、第２の吸引チューブ３０ｂおよびポンプ接続チューブ１１ａを通して図示しない袋等に溜められる。
【００４２】
連結部７４は、グリップ７２に対して一体的に連結された連結部本体７４ａと、この連結部本体７４ａの先端部に一体的に配設された屈曲部８０とを備えている。この屈曲部８０は、第１の吸引チューブ３０ａが挿通された外層チューブ８２を備えている。この外層チューブ８２は、例えばＳＵＳ材など、硬質材により形成されている。屈曲部８０の外層チューブ８２は、連結部本体７４ａに対して外径が縮小された状態で屈曲されている。
【００４３】
屈曲部８０の外層チューブ８２の長手軸は、連結部本体７４ａの長手軸とグリップ７２の長手軸とによって形成される面内に配置されている。外層チューブ８２の屈曲方向は、連結部本体７４ａの長手軸に対してグリップ７２が屈曲された方向と同じ側である。すなわち、グリップ７２と連結部本体７４ａと屈曲部８０とにより形成される保持部１４は、略逆Ｕ字状に形成されている。
【００４４】
連結部本体７４ａの長手軸とグリップ７２の長手軸とによって形成される面内と同じ面内に挿入部１２の円筒部２６の長手軸が配置されている。すなわち、挿入部１２の円筒部２６、屈曲部８０、連結部本体７４ａおよびグリップ７２のそれぞれの長手軸は、同一面内に規定されている。このため、湾曲部２４を湾曲させる場合、円筒部２６に対する湾曲部２４の湾曲方向が容易に認識される。
【００４５】
図６（Ａ）および図６（Ｂ）に示すように、挿入部１２の基端部は、屈曲部８０の先端部に対して回動可能に形成されている。
【００４６】
図６（Ａ）に示すように、屈曲部８０の外層チューブ８２の先端部には、径方向内方に突出した内方突出部８４が形成されている。図６（Ｂ）に示すように、この内方突出部８４の先端部には、半円状に切り欠かれた切欠部８６が形成されている。
【００４７】
一方、図６（Ａ）に示すように、挿入部１２の円筒部２６の基端部には、径方向外方に突出した外方突出部８８が形成されている。この外方突出部８８の基端部には、径方向外方に突出したフランジ部９０が形成されている。このフランジ部９０は、上述した内方突出部８４の基端部に係合可能である。この場合、内方突出部８４の内周面と、外方突出部８８の外周面とは、互いに摺動可能に接触されている。
【００４８】
挿入部１２の円筒部２６の外方突出部８８の先端部の外周面には、雄ネジ部８８ａが形成されている。屈曲部８０の内方突出部８４の外側には、内方突出部８４の外周面を覆う回転ダイヤル（回動操作部）９２が配設されている。回転ダイヤル９２は円筒状に形成された円筒部９４と、この円筒部９４の先端部で径方向内方に突出され、上述した雄ネジ部８８ａに螺着可能に内周面に形成された雌ネジ部９４ａとを備えている。
【００４９】
屈曲部８０の外層チューブ８２の内方突出部８４の外周面には、回転ダイヤル９２の円筒部９４の内周面に接触するＯリング９６が配設されている。このため、回転ダイヤル９２は、屈曲部８０の外層チューブ８２の内方突出部８４に対して水密状態を維持したまま回転可能である。
【００５０】
図６（Ａ）および図６（Ｂ）に示すように、回転ダイヤル９２の先端部には、回転ダイヤル９２の軸方向に沿ってストッパーピン９８が固定されている。このストッパーピン９８は、上述した内方突出部８４の切欠部８６を移動可能である。すなわち、回転ダイヤル９２は、切欠部８６の範囲内のみ回動可能である。
【００５１】
１対の牽引ワイヤ４２ａ，４２ｂ（図６（Ａ）中では図示せず）は、第１の吸引チューブ３０ａの外周面と挿入部１２の円筒部２６の内周面との間に配設されている。このため、回転ダイヤル９２の回転による挿入部１２の回転に伴って捻じられる。そうすると、湾曲部２４は、回転ダイヤル９２の操作により、連結部７４の長手軸と、グリップ７２の長手軸とによって形成される面と、挿入部１２の長手軸との両者に直交する面に対して表面側および裏面側に湾曲可能である。このため、挿入部１２の長手軸周りの回動と湾曲部２４の湾曲とを組み合わせることによって、先端硬質部２２を挿入部１２の長手軸に対して略３６０度方向に湾曲させることが可能である。
【００５２】
次に、この実施の形態に係る吸引器１０の作用について説明する。
【００５３】
図７に示すように、例えば脳外科手術を行なう場合、吸引器１０は例えば手術用顕微鏡１００や内視鏡（図示せず）とともに使用される。顕微鏡１００を用いて術部を観察する場合、通常は術部（開口部）６６を真上から観察することが好ましい。さらに、術部の外科処置の終了後、吸引対象物６４を吸引する場合であっても、吸引対象物６４を確認するために手術用顕微鏡１００を必要とする。
【００５４】
術者が顕微鏡１００を使用して術部６６を観察しながら、その術者は吸引器１０の保持部１４を例えば右手でピストルと同様にグリップ７２を保持して開口部６６から体腔内に挿入部１２を挿入する。このとき、顕微鏡１００の光軸と挿入部１２とを並べた状態で開口部６６から体腔内に挿入部１２を挿入する。
【００５５】
保持部１４が略ピストル型に形成され、連結部７４の先端部に屈曲部８０が形成されているので、顕微鏡１００で術部６６を観察しながら顕微鏡１００に対して保持部１４を離した状態で作業を行なうことができる。すなわち、吸引器１０は、保持部１４が顕微鏡１００に対する干渉が防止された状態で挿入部１２が開口部６６から体腔内に挿入される。
【００５６】
挿入部１２の長手軸を例えば鉛直方向に一致させた場合、グリップ７２をピストルと同様に把持したときに、把持した手の手首を曲げる角度を極力小さくすることができる。このため、手の筋肉の緊張を和らげた状態でグリップ７２が保持される。すなわち、無理な力を手に加えることなく、軽い力でグリップ７２を保持して挿入部１２を体腔内に挿入し、吸引処置を行なえる。
【００５７】
なお、開口部６６から体腔内に挿入部１２を挿入する場合、挿入部１２を真直ぐに伸ばす。湾曲部２４を湾曲させる回転ノブ５０を中立の位置に配置し、回転ダイヤル９２を中立の位置に配置する。すなわち、回転ダイヤル９２のストッパーピン９８を内方突出部８４の切欠部８６に対して最も離隔した位置に配置する（図６（Ｂ）参照）。
【００５８】
顕微鏡１００を用いて開口部６６から体腔内を観察した状態で、保持部１４の回転ノブ５０を右手の親指で回転操作し、湾曲部２４を所望の湾曲状態に湾曲させる。この場合、回転ダイヤル９２の回動を防止するように保持しておくと、湾曲部２４は、連結部本体７４ａの長手軸とグリップ７２の長手軸とによって形成される面内と同じ面内を湾曲する。湾曲部２４が所望の湾曲状態にあるときに右手の親指で回転ノブストッパー７６を操作して湾曲部２４をその湾曲状態で固定する。
【００５９】
保持部１４を適当な位置に保持した状態で回転ダイヤル９２を回転させる。この場合、先端硬質部２２が吸引対象物６４に正対するように回転ダイヤル９２を回転させる。右手の親指で保持部１４のポート６０を閉塞して吸引力を高めて吸引対象物６４を吸引する。
【００６０】
吸引対象物６４が複数ある場合、ある吸引対象物６４の吸引終了後、右手の親指を動かしてポート６０を開口する。すなわち、挿入部１２の先端部からの吸引を止める。回転ノブストッパー７６を右手の親指で解除して再び回転ノブ５０を回転させて湾曲部２４を所望の湾曲量に湾曲させる。湾曲部２４が所望の湾曲状態にあるときに右手の親指で回転ノブストッパー７６を操作して湾曲部２４をその湾曲状態で固定する。先端硬質部２２が吸引対象物６４に正対するように回転ダイヤル９２を回転させる。右手の親指で保持部１４のポート６０を閉塞して、吸引力を高めて吸引対象物６４を吸引する。
【００６１】
吸引対象物６４を吸引した後、右手の親指を動かしてポート６０を開口する。回転ノブストッパー７６を右手の親指で解除して再び回転ノブ５０を回転させて湾曲部２４を真直ぐに伸ばす。この状態で挿入部１２を体腔内から抜き取る。
【００６２】
以上説明したように、この実施の形態によれば以下のことが言える。
【００６３】
挿入部１２の長手軸周りの回動と湾曲部２４の湾曲とを組み合わせることによって、先端硬質部２２を挿入部１２の長手軸に対して略３６０度方向に湾曲させることができる。このため、湾曲部２４の湾曲によって先端硬質部２２が近接する範囲内であれば、体腔内のどの位置に吸引対象物６４がある場合であっても、保持部１４を挿入部１２の軸周りに回転させることなく、挿入部１２の挿脱と組み合わせて吸引操作を行なうことができる。このように、保持部１４を挿入部１２の軸周りに回転させることを要しないので、吸引操作を容易に行なうことができる。
【００６４】
挿入部１２の回動範囲を、連結部７４の長手軸とグリップ７２の長手軸とによって形成される面に対して対称的に規制したので、術者は常に回転ノブ５０の操作方向に対する湾曲部２４の湾曲方向を容易に認識することができる。また、回転ノブストッパー７６が回転ノブ５０の側部に配設されている。したがって、誤って意図しない方向に回転ノブ５０を回転させたり、湾曲部２４が湾曲することを防止することができる。
【００６５】
保持部１４を略ピストル型に形成したことによって、保持部１４のグリップ７２の位置を顕微鏡１００に対して離すことができるので、顕微鏡１００と保持部１４との間の干渉を防止することができる。また、例えば術部６６を直視観察するような場合であっても、保持部１４が観察の邪魔になることを防止することができる。
【００６６】
連結部７４の先端部に屈曲部８０を形成したことによって、顕微鏡１００と保持部１４との間の干渉を防止することができるとともに、保持部１４のグリップ７２の把持性を向上させることができる。具体的には、手の筋肉の緊張を和らげた状態でグリップ７２を保持して挿入部１２を体腔内に挿入し、吸引処置を行なうことができる。すなわち、無理な力を手に加えることなく、軽い力でグリップ７２を保持して挿入部１２を体腔内に挿入し、吸引処置を行なうことができる。
【００６７】
また、保持部１４の回転ノブ５０、回転ノブストッパー７６およびポート６０が互いに近接した位置に配置されている。グリップ７２を右手で保持したときに、連結部７４の長手軸とグリップ７２の長手軸とによって形成される面に対して、回転ノブ５０および回転ノブストッパー７６を右側に、ポート６０を左側に配置したので、右手の親指だけを動かすことによって回転ノブ５０、回転ノブストッパー７６およびポート６０の操作を行なうことができる。したがって、例えば湾曲部２４の湾曲操作や吸引操作をスムーズに行なうことができ、手術時間の短縮を図ることができる。そうすると、操作性の高い吸引器１０を提供することができる。
【００６８】
なお、この実施の形態では、右手でグリップ７２を把持するものとして説明したが、上記の構成を有する吸引器１０を左手で保持しても良く、左手でグリップ７２を保持する場合に合わせて上記構成を連結部７４の長手軸とグリップ７２の長手軸とによって形成される面に対して対称な状態に形成しても良い。
【００６９】
次に、第３の実施の形態について図８ないし図１１を用いて説明する。この実施の形態は第２の実施の形態の変形例であって、第２の実施の形態で説明した部材と同一の部材には同一の符号を付し、詳しい説明を省略する。
【００７０】
図８（Ａ）に示すように、この実施の形態に係る吸引器１０の回転ダイヤル９２には、連結部本体７４ａの長手軸に略平行にグリップ７２に向かって回転ダイヤル操作ノブ（延出部）９２ａが延出されている。この操作ノブ９２ａは、術者が右手でグリップ７２を把持したときに、例えば右手の人差指で回転ダイヤル９２の長手軸周りに回動可能である。ここでは図示しないが、回転ダイヤル操作ノブ９２ａに例えば右手の人差指を掛ける指掛孔を設けても良い。
【００７１】
図８（Ａ）および図８（Ｂ）に示すように、保持部１４のポート６０には、例えば２つの開口を有するキャップ１１２が装着されている。キャップ１１２は、例えば挟み型やカップ型などの開閉型等の処置具１２０が挿通される第１の開口部（処置具挿通孔）６０ａと、術者が指で開口量を調整する第２の開口部６０ｂとを備えている。第１の開口部６０ａは弾性変形可能で、その口径は、処置具１２０の後述する処置具挿入部１２２の外径よりも僅かに小さく形成されている。このため、処置具１２０は、第１の開口部６０ａに対して弾性変形により挿入可能である。
【００７２】
図９に示すように、処置具１２０は、第１の吸引チューブ３０ａ内を挿通可能な処置具挿入部１２２と、この処置具挿入部１２２の先端部に配設された例えば開閉型の処置部１２４と、処置具挿入部１２２の基端部に配設された開閉操作部（処置具操作部）１２６とを備えている。
【００７３】
処置具挿入部１２２は、第１の吸引チューブ３０ａの内部を通して第１の吸引チューブ３０ａの先端から突出される長さに形成されている。開閉操作部１２６は、通常使用時に人差指および中指を引っ掛ける指押さえ１２６ａと、通常使用時に親指を引っ掛ける操作リング１２６ｂとを備えている。処置具挿入部１２２の内部には、処置部１２４と開閉操作部１２６の操作リング１２６ｂとを連結するワイヤ（図示せず）が挿通されている。指押さえ１２６ａに対して操作リング１２６ｂを近接させると処置部１２４が開き、離隔させると処置部１２４が閉じる。
【００７４】
図１０に示すように、連結部本体７４ａには、処置具１２０の開閉操作部１２６を保持する処置具装着用ホルダ１３０が着脱可能である。
【００７５】
図１１（Ａ）に示すように、処置具装着用ホルダ１３０は、連結部本体７４ａの外周面に着脱可能な略Ｃ字状の連結部装着体１３２を備えている。この連結部装着体１３２は、連結部本体７４ａへの装着時には開き、装着されると閉じる弾性（バネ性）を備えている。この連結部装着体１３２の一端部および他端部は、互いに離隔する方向に向かって丸められて連結部本体７４ａに着脱されるときに連結部本体７４ａに引っ掛けられることが防止される。
【００７６】
この連結部装着体１３２には、開閉操作部１２６を着脱可能な略Ｃ字状の処置具操作部装着体１３４が背中合わせに連結部材１３６によって配設されている。連結部装着体１３２および処置具操作部装着体１３４は、互いに離隔した位置に開口部が配設されている。この処置具操作部装着体１３４は、処置具１２０の開閉操作部１２６が装着される際に開き、装着されると閉じる弾性（バネ性）を備えている。この処置具操作部装着体１３４の一端部および他端部は、互いに離隔する方向に向かって丸められて開閉操作部１２６が着脱されるときに開閉操作部１２６に引っ掛けられることが防止される。
【００７７】
処置具操作部装着体１３４には、指押さえ１２６ａを支持する位置を規定する切欠き１３８が形成されている。このため、処置具操作部装着体１３４に処置具１２０の開閉操作部１２６が装着されると、指押さえ１２６ａが切欠き１３８に支持されるので、操作リング１２６ｂは指押さえ１２６ａに対して容易に接離可能である。
【００７８】
このとき、操作リング１２６ｂは、回転ノブ５０および回転ノブストッパー７６の略側部でこれらの近傍に配置されている。このため、例えば操作リング１２６ｂに例えば右手の人差指を引っ掛けると、指押さえ１２６ａは処置具装着用ホルダ１３０によって位置が固定された状態で支持されているので、操作リング１２６ｂは指押さえ１２６ａに対して接離可能である。
【００７９】
次に、この実施の形態に係る吸引器１０の作用について説明する。
【００８０】
図８（Ａ）および図９に示すように、キャップ１１２をポート６０に装着する。このとき、キャップ１１２は、第２の開口部６０ｂが回転ノブ５０に対して近接した状態に装着する。
【００８１】
保持部１４のポート６０に装着されたキャップ１１２の第１の開口部６０ａから処置具１２０を挿入する。ポート６０は第１の吸引チューブ３０ａの長手軸上に形成されている（図９参照）ので、処置具１２０の処置部１２４および処置具挿入部１２２は、第１の吸引チューブ３０ａ内を挿入部１２の先端部に向かって挿通され、挿入部１２の先端部から突出される。
【００８２】
開口部６６から体腔内に挿入部１２を挿入する場合、挿入部１２を真直ぐに伸ばす。湾曲部２４を湾曲させる回転ノブ５０を中立の位置に配置し、回転ダイヤル９２を中立の位置に配置する。
【００８３】
顕微鏡１００を用いて開口部６６から体腔内を観察した状態で、保持部１４の回転ノブ５０を右手の親指で回動操作し、湾曲部２４を所望の湾曲状態に湾曲させる。湾曲部２４が所望の湾曲状態にあるときに右手の親指で回転ノブストッパー７６を操作して湾曲部２４をその湾曲状態で固定する。
【００８４】
保持部１４を適当な位置に保持した状態で右手の人差指を使って回転ダイヤル９２の回転ダイヤル操作ノブ９２ａを回動させる。この場合、先端硬質部２２が吸引対象物６４に正対するように操作ノブ９２ａを回動させる。
【００８５】
処置具１２０を吸引器１０の保持部１４のグリップ７２を把持した手（右手）と反対の手（左手）で操作する場合、左手の人差指と中指を指押さえ１２６ａに引っ掛け、左手の親指を操作リング１２６ｂに引っ掛けて処置部１２４の操作を行なう。処置具挿入部１２２を所望の方向に湾曲させる必要がある場合、保持部１４の回転ノブ５０を操作して挿入部１２の湾曲部２４を湾曲させる。すると、処置具挿入部１２２も湾曲部２４の湾曲に追従して湾曲する。
【００８６】
一方、処置具１２０を保持部１４のグリップ７２を把持した手（右手）で操作する場合、図１０に示すように、処置具装着用ホルダ１３０を保持部１４の連結部本体７４ａに装着する。
【００８７】
処置具１２０の操作リング１２６ｂに右手の人差指を引っ掛けて指押さえ１２６ａに対して右手の人差指を接離させる。操作リング１２６ｂを指押さえ１２６ａに対して近接させると処置部１２４が開き、操作リング１２６ｂを指押さえ１２６ａに対して離隔させると処置部１２４が閉じる。このようにして、処置具１２０を用いて各種の処置を行なう。処置の終了後、処置具１２０を第１の吸引チューブ３０ａから引き抜く。他の処置を行なう場合、他の処置具１２０の処置部１２４および処置具挿入部１２２を第１の吸引チューブ３０ａ内を通して挿入部１２の先端部から突出させて処置を行なう。
【００８８】
２つの処置具を同時に使用する場合、一方の処置具１２０を第１の吸引チューブ３０ａ内を挿通させ、他方の処置具を開口部６６から体腔内に挿入して、２つの処置具で処置を行なう。
【００８９】
処置の終了後、処置具１２０を第１の吸引チューブ３０ａから引き抜く。
【００９０】
右手の親指で保持部１４の第２の開口部６０ｂを閉塞して吸引力を高めて処置具１２０で処置したことによって生じる生体組織、その処置対象の生体組織の洗浄液や血液等の吸引対象物６４を吸引する。
【００９１】
以上説明したように、この実施の形態によれば、以下のことが言える。
【００９２】
第１の吸引チューブ３０ａを処置具１２０を挿通させる処置具挿通チャンネルとして使用することができる。このため、吸引器１０としてだけでなく、処置具導入具（処置具誘導装置）としても使用することができる。そうすると、挿入部１２の湾曲部２４を湾曲させることによって、処置具１２０の挿入部１２２を追従して湾曲させて処置部１２４を所望の方向に向けることができる。したがって、処置具１２０自体に湾曲機能を持たせることなく、処置具挿入部１２２を所望の方向に湾曲させることができる。
【００９３】
処置具装着用ホルダ１３０を使用しない場合、例えば左手で処置具１２０の開閉操作部１２６を保持しながら処置部１２４で処置を行なうことができる。このため、処置具１２０を吸引器１０の外側から配設して処置を行なうよりも、手術効率を向上させることができる。
【００９４】
回転ダイヤル９２を回動させる回転ダイヤル操作ノブ９２ａをグリップ７２の近傍でグリップ７２を把持した手指で操作可能な位置に配置した。このため、例えば右手でグリップ７２を把持した状態で回転ダイヤル操作ノブ９２ａを右手の人差指で回動操作することができる。
【００９５】
また、処置具装着用ホルダ１３０を使用する場合、例えば左手が空くので、左手で例えば処置具等を保持しながら処置を行なうことができる。このため、同時に２つの処置具を使って外科的処置を行なうことができ、手術効率を向上させることができる。
【００９６】
この場合、吸引器１０は、回転ノブ５０、回転ノブストッパー７６、第２の開口部６０ｂ、回転ダイヤル操作ノブ９２ａ、および操作リング１２６ｂを保持部１４のグリップ７２を握った状態で片手で操作可能である。具体的には、回転ノブ５０、回転ノブストッパー７６、および第２の開口部６０ｂは右手の親指で操作することができる。回転ダイヤル操作ノブ９２ａよび操作リング１２６ｂは右手の人差指で操作することができる。すなわち、グリップ７２を持ち替えたりすることなく、湾曲操作、吸引操作、処置具１２０の操作等、全ての操作を片手で行なうことができる。
【００９７】
これまで、いくつかの実施の形態について図面を参照しながら具体的に説明したが、この発明は、上述した実施の形態に限定されるものではなく、その要旨を逸脱しない範囲で行なわれるすべての実施を含む。
【００９８】
［付記］
（付記項１）  吸引チューブが挿通された挿入部と、
前記吸引チューブが挿通された状態で前記挿入部の基端部に設けられ、術者に保持される保持部と、
前記吸引チューブの内部と外部とを連通し、前記吸引チューブ内の吸引力を調整する吸引力調整部と
を具備する吸引器において、
前記挿入部の先端部に設けられ、前記挿入部の先端部を湾曲可能な湾曲部と、
前記挿入部の基端部側に設けられた状態で前記湾曲部に連結され、前記湾曲部を湾曲操作可能な湾曲操作部と
をさらに具備することを特徴とする吸引器。
【００９９】
（付記項２）  先端部に湾曲可能な湾曲部を有し、体腔内に挿入される挿入部と、
前記挿入部の基端部に設けられており、前記湾曲部に連結され、前記湾曲部を湾曲操作可能な湾曲操作部を有し、術者に保持される保持部と、
前記挿入部および保持部に挿通された吸引チューブと、
前記吸引チューブの内部と外部とを連通し、前記吸引チューブ内の吸引力を調整する吸引力調整部と
を具備することを特徴とする吸引器。
【０１００】
（付記項３）  前記挿入部は、前記湾曲部の基端部に硬質の円筒部を備えていることを特徴とする付記項１もしくは付記項２に記載の吸引器。
【０１０１】
このため、挿入部を体腔内に挿入したときに、湾曲部を所望の方向に湾曲させるだけで、吸引対象物の方向に挿入部の先端部を向けることができる。
【０１０２】
（付記項４）  前記挿入部は、前記湾曲部の基端部に術者の手の力により所望の方向に湾曲可能な円筒部を備えていることを特徴とする付記項１もしくは付記項２に記載の吸引器。
【０１０３】
そうすると、保持部を所望の位置に配置することができるので、操作性を向上させることが可能である。
【０１０４】
（付記項５）  前記湾曲操作部と前記吸引力調整部とは、前記保持部に互いに近接された状態で並設されていることを特徴とする付記項１ないし付記項４のいずれか１に記載の吸引器。
【０１０５】
このため、例えば右手など、片手で保持部を保持した状態で、右手の指を使って湾曲操作部および吸引力調整部を操作することができる。
【０１０６】
（付記項６）  前記保持部は、
術者に保持されるグリップと、
前記グリップの長手軸と交わる長手軸を有し、前記グリップと前記挿入部の基端部との間に配設された連結部と
を備えていることを特徴とする付記項１ないし付記項５のいずれか１に記載の吸引器。
【０１０７】
このため、挿入部に対して操作し易い角度に連結部およびグリップの角度をそれぞれ任意に規定することができる。そうすると、使用時の把持性を向上させることができ、かつ、例えば顕微鏡を使用する場合に、顕微鏡に対してグリップが干渉する（邪魔になる）ことが防止される。
【０１０８】
（付記項７）  前記連結部は、前記グリップに連結された連結部本体と、前記挿入部の基端部に連結され、前記連結部本体の長手軸に対して異なる方向に長手軸を有する屈曲部とをさらに備え、
前記グリップの長手軸と前記連結部本体の長手軸と前記屈曲部の長手軸とは、同一の面内にあることを特徴とする付記項６に記載の吸引器。
【０１０９】
挿入部の基端部に連結する屈曲部を設けたので、例えば顕微鏡に対して保持部全体が干渉することが防止される。
【０１１０】
（付記項８）  前記グリップ、前記連結部本体、前記屈曲部および前記挿入部の各長手軸は同一の面内にあり、これら長手軸を合わせると略Ｕ字型に形成されていることを特徴とする付記項７に記載の吸引器。
【０１１１】
そうすると、挿入部を体腔内に挿入している際のグリップの把持性を向上させることができる。すなわち、楽な姿勢でグリップを把持することができる。
【０１１２】
（付記項９）  前記連結部は、前記挿入部をその長手軸回りに回動可能な回動操作部を備えていることを特徴とする付記項６ないし付記項８のいずれか１に記載の吸引器。
【０１１３】
このため、湾曲部に湾曲範囲を前記グリップ、前記連結部本体、前記屈曲部および前記挿入部の各長手軸の面上だけでなく、挿入部の軸周りにも範囲を広げることができるので、術者の手に把持されるグリップを移動させることなく、複数の箇所を吸引操作することができる。
【０１１４】
（付記項１０）  前記回動操作部は、前記グリップに向かって延出された延出部を備えていることを特徴とする付記項９に記載の吸引器。
【０１１５】
このため、グリップを把持した手で延出部を操作することができるので、片方の手を空けることが可能である。
【０１１６】
（付記項１１）  前記湾曲部は、前記グリップの長手軸と前記連結部の長手軸とにより形成される面に直交し、前記挿入部の長手軸に平行な面に対して対称的に湾曲可能に形成されていることを特徴とする付記項６ないし付記項１０のいずれか１に記載の吸引器。
【０１１７】
挿入部を真直ぐにした状態を中立位置とすると、挿入部の中立位置（中心軸）に対して対称的に湾曲部を湾曲させることができる。
【０１１８】
（付記項１２）  前記吸引チューブは、
前記吸引力調整部を基端部に有し、前記挿入部および前記連結部に挿通され、前記吸引力調整部から処置具を挿通可能な第１の吸引チューブと、
前記第１の吸引チューブに連通され、前記保持部に挿通された第２の吸引チューブと
を備えていることを特徴とする付記項６ないし付記項１１のいずれか１に記載の吸引器。
【０１１９】
このため、第１の吸引チューブに処置具を挿入可能であり、吸引器を処置具誘導装置として使用することができる。保持部に吸引チューブを内蔵したので、保持部を保持する際に邪魔になることがない。
【０１２０】
（付記項１３）  前記吸引力調整部は、
前記処置具が挿通される処置具挿通孔と、
この処置具挿通孔に隣接して配置され、術者によって開口量が調整される開口量調整孔と
を備えていることを特徴とする付記項１２に記載の吸引器。
【０１２１】
このため、処置具挿通孔に処置具を挿通することによって、処置具を挿通することができ、開口量調整孔の開口量を調整することによって、吸引力を調整することができる。
【０１２２】
（付記項１４）  前記連結部は、前記処置具の操作部を着脱可能で、前記連結部に着脱可能なホルダを備えていることを特徴とする付記項１２もしくは付記項１３に記載の吸引器。
【０１２３】
このため、連結部にホルダを装着した状態で、そのホルダに処置具の操作部を装着すると、グリップを把持した手の指で処置具の操作部を操作することができる。このため、片手を空けることができる。
【０１２４】
（付記項１５）  吸引チューブが挿通され、先端部に湾曲可能な湾曲部を有する挿入部と、
前記挿入部の基端部に設けられているとともに前記吸引チューブの基端部が挿通され、術者に保持される保持部と、
前記保持部に設けられ、前記挿入部の基端部側に設けられた状態で前記湾曲部に連結され、前記湾曲部を湾曲操作可能な湾曲操作部と
前記保持部に設けられ、前記吸引チューブの内部と外部とを連通し、その開口量が調整される開口部と
を具備することを特徴とする吸引器。
【０１２５】
（付記項１６）  体腔内に挿入される略硬性の挿入部と、
術者が手で保持する保持部と、
吸引量を調整可能な吸引量調整手段と
を具備する吸引器において、
前記挿入部の先端部に湾曲可能な湾曲部を有するとともに、前記湾曲部を湾曲操作させる湾曲操作部を有することを特徴とする吸引器。
【０１２６】
（付記項１７）  前記挿入部と前記保持部とを所定の角度で接続可能な連結部を有するとともに、前記連結部に前記吸引量調整手段と前記湾曲操作部とを設けたことを特徴とする付記項１６に記載の吸引器。
【０１２７】
（付記項１８）  前記吸引量調整手段と前記湾曲操作部とは、前記連結部の同一面、かつ、前記挿入部の軸線に対して対称な位置に配置されていることを特徴とする付記項１６もしくは付記項１７に記載の吸引器。
【０１２８】
（付記項１９）  前記挿入部は、前記連結部に対して回転可能であることを特徴とする付記項１６ないし付記項１８のいずれか１に記載の吸引器。
【０１２９】
（付記項２０）  前記挿入部の回転量を調整する回転調整手段を前記連結部に備えたことを特徴とする付記項１９に記載の吸引器。
【０１３０】
（付記項２１）  前記挿入部の回転範囲は、前記湾曲部の湾曲方向に対して対称であることを特徴とする付記項１９もしくは付記項２０に記載の吸引器。
【０１３１】
（付記項２２）  術者が前記保持部を保持した際、前記吸引量調整手段および前記湾曲操作部を親指で操作可能な位置に配置し、回転調整手段を人差指で操作可能な位置に配置したことを特徴とする付記項２０もしくは付記項２１に記載の吸引器。
【０１３２】
（付記項２３）  前記吸引量調整手段の一部から処置具が挿通可能な開口部を備えていることを特徴とする付記項１６ないし付記項２２のいずれか１に記載の吸引器。
【０１３３】
（付記項２４）  前記処置具の操作部が前記連結部に着脱可能な着脱部を備えていることを特徴とする付記項１６ないし付記項２２のいずれか１に記載の吸引器。
【図面の簡単な説明】
【０１３４】
【図１】第１の実施の形態に係る吸引器を示す概略的な斜視図。
【図２】（Ａ）は、第１の実施の形態に係る吸引器における湾曲部および保持部の概略的な側面図、（Ｂ）は、（Ａ）中の矢印２Ｂ−２Ｂ線に沿う概略的な断面図。
【図３】第１の実施の形態に係る吸引器の挿入部を吸引対象組織を有する体腔内に挿入した状態を示す概略的な斜視図、（Ｂ）は（Ａ）に示す状態から保持部の回転ノブを回転させ、湾曲部を湾曲させて先端硬質部を吸引対象組織に正対させた状態を示す概略的な斜視図。
【図４】第２の実施の形態に係る吸引器を示す概略的な斜視図。
【図５】第２の実施の形態に係る吸引器における保持部のグリップおよび連結部を示す概略的な断面図。
【図６】第２の実施の形態に係る吸引器における屈曲部の先端部および挿入部の基端部を示し、（Ａ）は概略的な断面図、（Ｂ）は、（Ａ）中の矢印６Ｂ−６Ｂ線に沿う概略的な断面図。
【図７】第２の実施の形態に係る吸引器を手術用顕微鏡とともに使用する状態を示す概略的な斜視図。
【図８】（Ａ）は、第３の実施の形態に係る吸引器を示す概略的な斜視図、（Ｂ）は、処置具を保持するキャップを示す概略図。
【図９】第３の実施の形態に係る吸引器の開口部にキャップを装着し、第１の開口部に処置具を挿通させて処置具挿入部を第１の吸引チューブの内腔を通した状態を示す概略的な断面図。
【図１０】第３の実施の形態に係る吸引器を示し、連結部に処置具装着用ホルダを装着した状態を示す概略的な斜視図。
【図１１】第３の実施の形態に係る吸引器の連結部に装着する処置具装着用ホルダを示し、（Ａ）は処置具装着用ホルダを連結部に装着し、処置具を処置具装着用ホルダに装着する状態を示す概略図、（Ｂ）は、処置具を処置具装着用ホルダに装着する状態を示す上面図である。
【図１２】（Ａ）は背景技術に係る吸引器の挿入部を吸引対象組織を有する体腔内に挿入した状態を示す概略的な斜視図、（Ｂ）は挿入部の先端部を予め湾曲させた状態で体腔内に挿入する状態を示す概略図。
【符号の説明】
【０１３５】
１０…吸引器、１２…挿入部、１４…保持部、２２…先端硬質部、２２ａ…開口、２４…湾曲部、３０…吸引チューブ、３４…湾曲駒、３８…リベット、４２ａ，４２ｂ…牽引ワイヤ、４４ａ，４４ｂ…接続部材、４６…湾曲操作ワイヤ、４８…プーリ、４８ａ…回転軸、５０…回転ノブ
【図１】
2006026089.tif 000003
【図２】
2006026089.tif 000004
【図３】
2006026089.tif 000005
【図４】
2006026089.tif 000006
【図５】
2006026089.tif 000007
【図６】
2006026089.tif 000008
【図７】
2006026089.tif 000009
【図８】
2006026089.tif 000010
【図９】
2006026089.tif 000011
【図１０】
2006026089.tif 000012
【図１１】
2006026089.tif 000013
【図１２】
2006026089.tif 000014